(57)【要約】【課題】斬新な表示を行うことができる表示装置を提供する。【解決手段】ＬＣＤ３１の周縁を囲む導光枠３２がＬＣＤ３１よりも正面側に突出するように設けられ、この導光枠３２の正面に装飾枠３４が取り付けられている。そして、導光枠用光源３３からの光が導光枠３２に入射し、導光枠３２内を導光する。従って、導光枠３２がＬＣＤ３１よりも正面側に突出している分、装飾枠３４がＬＣＤ３１の正面に浮いているように視認される。しかも、導光枠３２から漏れる光によりＬＣＤ３１の周縁が照明されるため、より一層、装飾枠３４がＬＣＤ３１の正面に浮いているように視認される。【選択図】図２
2008128716.tif 000002
【特許請求の範囲】
【請求項１】
所定情報を表示する表示器を有する表示装置において、
前記表示器よりも正面側に突出するように設けられた前記表示器の周縁を囲む導光部材から成る導光枠と、
前記導光枠に入射する光を発生する光源と、
前記導光枠の正面に取り付けられ前記表示器の周縁を囲むように設けられた装飾枠とを備えたことを特徴とする表示装置。
【請求項２】
前記導光枠が、前記装飾枠の外周縁よりも外側に設けられた第１発光視認部を有することを特徴とする請求項１に記載の表示装置。
【請求項３】
前記表示器が、矩形状に形成され、
前記第１発光視認部が、前記矩形状の表示器の一辺に沿った枠部に設けられ、そして、
前記導光枠が、前記枠部の一辺方向の少なくとも一端側に設けられた前記光源からの光を入射するための入射部と、該入射部から前記枠部の一辺方向の一端に入射された光を他端側に向けて反射する反射部とを有している
ことを特徴とする請求項２に記載の表示装置。
【請求項４】
前記入射部が、前記枠部の一辺方向の両端のうち一端のみに設けられていることを特徴とする請求項３に記載の表示装置。
【請求項５】
前記導光枠が、前記装飾枠の内周縁よりも内側に設けられた第２発光視認部を有することを特徴とする請求項１〜４何れか１項に記載の表示装置。
【発明の詳細な説明】
【技術分野】
【０００１】
本発明は、表示装置に係り、例えば車両に搭載される表示装置に関するものである。
【背景技術】
【０００２】
上述した従来の表示装置としては、例えば図５に示すように、車両に搭載されたスピードメータ１０やタコメータ１１などのメータに用いられる指示装置が一般的に知られている。これらメータ１０、１１は、図６に示すように、表面に目盛、数字、文字又は記号等の指標が形成された文字板１２と、この文字板１２の正面に配置される指針１３と、文字板１２の背面に配置され、例えば車速やエンジン回転数などの計測量に応じて指針１３を駆動する内機１４と、文字板１２の背面に設けられ内機１４が搭載される配線板１５と、この配線板１５上に搭載されるとともに背面から文字板１２を照らす光源１６と、光源１６からの光を文字板１２に反射する反射面１７とを備えている。
【０００３】
さらにメータは、上述した文字板１２、指針１３、配線板１５、反射面１７を収容するケース１８と、ケース１８の背面を覆う裏カバー１９と、ケース１８の正面を覆う表ガラス２０とを備えている。
【０００４】
上記文字板１２は、透明基板と、該透明基板の正面に設けられ上記指標が除かれた遮光層（文字板遮光層）とで構成されている。
【０００５】
以上の構成によれば、昼間は正面からの自然光により文字板１２が照らされて指標を視認することができる。夜は背面からの光源１６により文字板１２が照らされて指標が光輝して指標を視認することができる。
【特許文献１】特開昭５５−３３４４６号公報
【発明の開示】
【発明が解決しようとする課題】
【０００６】
しかしながら、図５に示すような構成の表示装置では、表示できる情報が限られていた。そこで、液晶ディスプレイを設けることが提案されている。しかしながら、従来では、液晶ディスプレイと見返しとの境界がなるべく目立たないようにしていたため、装飾効果が不足し、斬新な表示を行うことができなかった。
【０００７】
そこで、本発明は、上記のような問題点に着目し、斬新な表示を行うことができる表示装置を提供することを課題とする。
【課題を解決するための手段】
【０００８】
上記課題を解決するためになされた請求項１記載の発明は、所定情報を表示する表示器を有する表示装置において、前記表示器よりも正面側に突出するように設けられた前記表示器の周縁を囲む導光部材から成る導光枠と、前記導光枠に入射する光を発生する光源と、前記導光枠の正面に取り付けられ前記表示器の周縁を囲むように設けられた装飾枠とを備えたことを特徴とする表示装置に存する。
【０００９】
請求項１記載の発明によれば、表示器の周縁を囲む導光枠が表示器よりも正面側に突出するように設けられ、この導光枠の正面に装飾枠が取り付けられている。そして、光源からの光が導光枠に入射し、導光枠内を導光する。従って、導光枠が表示器よりも正面側に突出している分、装飾枠が表示器の正面に浮いているように視認される。しかも、導光枠から漏れる光により表示器の周縁が照明されるため、より一層、装飾枠が表示器の正面に浮いているように視認される。
【００１０】
請求項２記載の発明は、前記導光枠が、前記装飾枠の外周縁よりも外側に設けられた第１発光視認部を有することを特徴とする請求項１に記載の表示装置に存する。
【００１１】
請求項２記載の発明によれば、導光枠が、装飾枠の外周縁よりも外側に設けられた第１発光視認部を有するので、装飾枠の外周縁に沿って光輝する第１発光視認部が視認される。
【００１２】
請求項３記載の発明は、前記表示器が、矩形状に形成され、前記第１発光視認部が、前記矩形状の表示器の一辺に沿った枠部に設けられ、そして、前記導光枠が、前記枠部の一辺方向の少なくとも一端側に設けられた前記光源からの光を入射するための入射部と、該入射部から前記枠部の一辺方向の一端に入射された光を他端側に向けて反射する反射部とを有していることを特徴とする請求項２に記載の表示装置に存する。
【００１３】
請求項３記載の発明によれば、光源からの光を入射する入射部が、枠体の一辺方向の少なくとも一端側に設けられ、反射部が、入射部から枠体の一辺方向の一端から入射された光を他端側に向けて反射するので、第１発光視認部が表示器の一辺に沿ってグラデーション状に光輝して視認される。
【００１４】
請求項４記載の発明は、前記入射部が、前記枠部の一辺方向の両端のうち一端のみに設けられていることを特徴とする請求項３に記載の表示装置に存する。
【００１５】
請求項４記載の発明によれば、入射部が、枠体の一辺方向の両端のうち一端のみに設けられているので、第１発光視認部が表示器の一辺に沿って一端から他端に向かってグラデーション状に光輝して視認される。
【００１６】
請求項５記載の発明は、前記導光枠が、前記装飾枠の内周縁よりも内側に設けられた第２発光視認部を有することを特徴とする請求項１〜４何れか１項に記載の表示装置に存する。
【００１７】
請求項５記載の発明によれば、導光枠が、装飾枠の内周縁よりも内側に設けられた第２発光視認部を有するので、装飾枠の外周縁に沿って光輝する第１発光視認部が視認される。また、導光枠から表示器に漏れる光量を多くすることができ、より装飾枠が表示器の正面に浮いているように視認される。
【発明の効果】
【００１８】
以上説明したように請求項１記載の発明によれば、導光枠が表示器よりも正面側に突出している分、装飾枠が表示器の正面に浮いているように視認される。しかも、導光枠から漏れる光により表示器の周縁が照明されるため、より一層、装飾枠が表示器の正面に浮いているように視認されるので、斬新な表示を行うことができる。
【００１９】
請求項２記載の発明によれば、装飾枠の外周縁に沿って光輝する第１発光視認部が視認されるので、より斬新な表示を行うことができる。
【００２０】
請求項３記載の発明によれば、第１発光視認部が表示器の一辺に沿ってグラデーション状に光輝して視認されるので、より斬新な表示を行うことができる。
【００２１】
請求項４記載の発明によれば、第１発光視認部が表示器の一辺に沿って一端から他端に向かってグラデーション状に光輝して視認されるので、より斬新な表示を行うことができる。
【００２２】
請求項５記載の発明によれば、装飾枠の外周縁に沿って光輝する第１発光視認部が視認される。また、導光枠から表示器に漏れる光量を多くすることができ、より装飾枠が表示器の正面に浮いているように視認されるので、より斬新な表示を行うことができる。
【発明を実施するための最良の形態】
【００２３】
以下、本発明の一実施の形態を図面に基づいて説明する。図１は、本発明の表示装置を組み込んだコンビネーションメータの正面図である。図２は、図１に示すコンビネーションメータを構成する表示装置の分解斜視図である。図３は、図１に示すコンビネーションメータのＩ−Ｉ線断面概略図である。図４は、図２に示す表示装置を構成する導光枠の部分拡大図である。
【００２４】
このコンビネーションメータ１は、例えば車両のインストルメントパネルに取り付けられる。コンビネーションメータ１は、速度計２１と、回転計２２と、表示装置３０とを有している。速度計２１は、指針２１Ａによって車両の速度を指示する計器である。回転計２２は、指針２２Ａによって車両のエンジン回転数を指示する計器である。
【００２５】
コンビネーションメータ１は、ケーシング２４と、見返し２５と、表ガラス２６と、配線板２７とを有している。ケーシング２４は、上述した速度計２１、回転計２２及び表示装置３０を収容するものである。見返し２５は、ケーシング２４の正面に取り付けられている。見返し２５は、上記速度計２１、回転計２２及び表示装置３０に対向する部分に開口が設けられ、ケーシング２４内に収容された配線板２７や内機などを隠す。表ガラス２６は、見返し２５の正面に取り付けられ、埃などの侵入を防止する。配線板２７は、ケーシング２４の背面側に設けられている。
【００２６】
次に、上記表示装置３０の構成について説明する。図２に示すように、表示装置３０は、表示器としての液晶表示器（以下ＬＣＤ）３１と、導光枠３２と、導光枠用光源３３と、装飾枠３４とを備えている。
【００２７】
ＬＣＤ３１は、矩形状に形成され、走行距離などの所定情報を表示する。このＬＣＤ３１は、側面から突出するＬＣＤ端子３１Ａを有している。ＬＣＤ端子３１Ａの先端に取り付けられたコネクタ３１Ｂは、上述した配線板２７に接続されている。これにより、ＬＣＤ３１は、配線板２７上に搭載されたＬＣＤ３１の表示を制御する表示制御回路、ＬＣＤ３１に電源を供給する電源回路（何れも図示せず）に接続される。
【００２８】
このＬＣＤ３１の周縁を囲む導光枠３２は、アクリルなどの導光部材から形成される矩形状の枠体である。導光枠３２は、図３に示すように、その正面がＬＣＤ３１よりも正面側に突出するように設けられている。導光枠用光源３３は、上記導光枠３２に入射する光を発生する光源である。装飾枠３４は、例えばシルバー色の金属などの遮光部材から形成されている矩形状の枠体である。装飾枠３４は、導光枠３２の正面に取り付けられＬＣＤ３１の周縁を囲むように設けている。
【００２９】
上記導光枠３２は、ＬＣＤ３１の長手方向Ｙ１の一辺に沿った一対の縦方向枠部３２Ａ（＝枠部）と、ＬＣＤ３１の短手方向Ｙ２の一辺に沿った一対の横方向枠部３２Ｂとを有している。導光枠３２はまた、第１発光視認部３２Ｃと、第２発光視認部３２Ｄと、入射部３２Ｅと、反射部３２Ｆと、取付部３２Ｇとを有している。
【００３０】
上記一対の縦方向枠部３２Ａは、その中央が膨らむような形状に設けられている。第１発光視認部３２Ｃは、装飾枠３４の外周縁よりも外側に設けられている。第１発光視認部３２Ｃは、矩形状のＬＣＤ３１の長手方向Ｙ１の二辺にそれぞれ沿うように一対の縦方向枠部３２Ａに設けられている。第１発光視認部３２Ｃは、正面側に向かって突出するように設けられ、これにより装飾枠３４の短手方向Ｙ２の位置決めを行うことができる。
【００３１】
第２発光視認部３２Ｄは、装飾枠３４の内周縁よりも内側に設けられている。第２発光視認部３２Ｄは、矩形状のＬＣＤ３１の短手方向Ｙ２の二辺にそれぞれ沿うように一対の横方向枠部３２Ｂに設けられている。第２発光視認部３２Ｄは、ＬＣＤ３１の中央に近づくに従って高さが低くなる階段状に設けられている。
【００３２】
一対の入射部３２Ｅは各々、縦方向枠部３２Ａの長手方向Ｙ１（＝一辺方向）の一端に設けられている。一対の入射部３２Ｅは、互いに近づく方向に突出した後に背面側に向かって突出するように設けられている。配線板２７には、この一対の入射部３２Ｅの端面に対向するように導光枠用光源３３が設けられている。反射部３２Ｆは、入射部３２Ｅから縦方向枠部３２Ａの長手方向Ｙ１の一端に入射された光Ｌを他端に向けて反射するように縦方向枠部３２Ａに設けられている。取付部３２Ｇは、横方向枠部３２Ｂにそれぞれ設けられている。取付部３２Ｇには、ネジで配線板２７に取り付けるためのネジ孔が設けられている。
【００３３】
上述した構成の表示装置３０の導光枠用光源３３からの光の進み方について以下説明する。導光枠用光源３３が発光すると、その光Ｌが入射部３２Ｅから導光枠３２内に入射される。入射部３２Ｅから入射された光Ｌは、縦方向枠部３２Ａの長手方向Ｙ１の一端に設けられた反射部３２Ｆに入射される。反射部３２Ｆに入射された光Ｌは、縦方向枠部３２Ａの長手方向Ｙ１の他端に向かって反射され、導光枠３２全体に導光される。
【００３４】
上述した表示装置３０によれば、ＬＣＤ３１の周縁を囲む導光枠３２がＬＣＤ３１よりも正面側に突出するように設けられ、この導光枠３２の正面に装飾枠３４が取り付けられている。そして、導光枠用光源３３からの光Ｌが導光枠３２に入射し、導光枠３２内を導光する。以上の構成によれば、ＬＣＤ３１よりも正面側に突出するように設けられた導光枠３２の正面に装飾枠３４が配置されている。このため、導光枠３２が突出している分、装飾枠３４がＬＣＤ３１の正面に浮いているように視認される。しかも、導光枠３２から漏れる光によってＬＣＤ３１の周縁が照明され、より一層装飾枠３４がＬＣＤ３１の正面に浮いているように視認され、斬新な表示を行うことができる。
【００３５】
上述した表示装置３０によれば、導光枠３２が装飾枠３４の外周縁よりも外側に設けられた第１発光視認部３２Ｃを有するので、装飾枠３４の外周縁に沿って光輝する第１発光視認部３２Ｃが視認され、より一層斬新な表示を行うことができる。
【００３６】
上述した表示装置３０によれば、導光枠光源３３からの光Ｌを入射する入射部３２Ｅが、縦方向枠部３２Ａの長手方向Ｙ１の一端側に設けられ、反射部３２Ｆが、入射部３２Ｅから縦方向枠部３２Ａの長手方向Ｙ１の一端から入射された光Ｌを他端側に向けて反射するので、第１発光視認部３２ＣがＬＣＤ３１の長手方向Ｙ１の一辺に沿ってグラデーション状に光輝して視認され、より一層斬新な表示を行うことができる。
【００３７】
上述した表示装置３０によれば、入射部３２Ｅが、縦方向枠部３２Ａの長手方向Ｙ１の両端のうちいずれか一端のみに設けられているので、第１発光視認部３２ＣがＬＣＤ３１の長手方向Ｙ１の一辺に沿って一端から他端に向かってグラデーション状に光輝して視認され、より一層斬新な表示を行うことができる。
【００３８】
上述した表示装置３０によれば、導光枠３２が、装飾枠３４の内周縁よりも内側に設けられた第２発光視認部３２Ｄを有するので、装飾枠３４の外周縁に沿って光輝する第２発光視認部３２Ｄが視認される。また、第２発光視認部３２Ｄにより導光枠３２からＬＣＤ３１に漏れる光量を多くすることができ、より装飾枠３４がＬＣＤ３１の正面に浮いているように視認され、より一層斬新な表示を行うことができる。
【００３９】
なお、上述した実施形態では、表示器としてＬＣＤ３１を用いていたが、本発明はこれに限ったものではない。表示器としては、ＬＣＤ３１に限らず所定情報を表示できるものであればなんでもよい。
【００４０】
また、上述した実施形態では、導光枠３２の縦方向枠部３２Ａに第１発光視認部３２Ｃを設けていたが、本発明はこれに限ったものではない。例えば、横方向枠部３２Ｂに第１発光視認部３２Ｃも良いし、第１発光視認部３２Ｃ自体を設けなくてもよい。
【００４１】
また、上述した実施形態では、導光枠３２の横方向枠部３２Ｂに第２発光視認部３２Ｄを設けていたが、本発明はこれに限ったものではない。例えば、縦方向枠部３２Ａに第２発光視認部３２Ｄを設けても良いし、第２発光視認部３２Ｄ自体を設けなくてもよい。
【００４２】
また、上述した実施形態では、入射部３２Ｅは、縦方向枠部３２Ａの両端のうち一端のみに設けていたが、本発明はこれに限ったものではない。例えば、入射部３２Ｅを縦方向枠部３２Ａの両端に設け、第１発光視認部３２Ｃの端部から中央に向かうに従って暗くなるようなグラデーションにしてもよい。
【００４３】
また、上述した実施形態では、縦方向枠部３２Ａは、中央に膨らみのある形状に設けていたが、本発明はこれに限ったものではない。縦方向枠部３２Ａとしては、長手方向Ｙ１のどの位置でも同一の高さとなるように設けても良い。
【００４４】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４５】
【図１】本発明の表示装置を組み込んだコンビネーションメータの正面図である。
【図２】図１に示すコンビネーションメータを構成する表示装置の分解斜視図である。
【図３】図１に示すコンビネーションメータのＩ−Ｉ線断面概略図である。
【図４】図２に示す表示装置を構成する導光枠の部分拡大図である。
【図５】従来の表示装置の一例を示す正面図である。
【図６】図５に示す表示装置のＩＶ−ＩＶ線断面図である。
【符号の説明】
【００４６】
３０    表示装置
３１    ＬＣＤ（表示器）
３２    導光枠
３３    導光枠用光源（光源）
３４    装飾枠
３２Ａ  縦方向枠部（枠部）
３２Ｃ  第１発光視認部
３２Ｄ  第２発光視認部
３２Ｅ  入射部
３２Ｆ  反射部
Ｙ１    長手方向
【図１】
2008128716.tif 000003
【図２】
2008128716.tif 000004
【図３】
2008128716.tif 000005
【図４】
2008128716.tif 000006
【図５】
2008128716.tif 000007
【図６】
2008128716.tif 000008